(57)【特許請求の範囲】
【請求項１】
圧縮機と、室外熱交換器と、同室外熱交換器に冷媒配管で接続されて前記圧縮機の冷媒吐出口あるいは冷媒吸入口への前記室外熱交換器の接続を切り換える流路切換手段と、室外膨張弁と、前記圧縮機から吐出される冷媒の温度である吐出温度を検出する吐出温度検出手段とを備えた少なくとも１台の室外機と、
室内熱交換器と、室内膨張弁とを備えた少なくとも１台の室内機と、
を備えた空気調和装置において、
前記空気調和装置は、前記圧縮機を停止させる停止温度と、同停止温度より所定温度低い保護制御開始温度とを記憶しており、
前記空気調和装置は、前記保護制御開始温度から前記停止温度までの間を複数の吐出温度領域に区画し複数の同吐出温度領域毎に駆動制御を対応させた吐出温度保護制御テーブルを有し、
前記空気調和装置は、前記吐出温度検出手段で検出した前記吐出温度が前記保護制御開始温度以上となれば、前記吐出温度保護制御テーブルを参照して前記吐出温度に対応した前記駆動制御を行うことで、前記圧縮機の吐出温度の上昇を抑制して前記吐出温度が前記停止温度に至らないようにする吐出温度保護制御を実行し、
前記吐出温度保護制御テーブルでは、前記室外熱交換器を凝縮器として機能させる場合と前記室外熱交換器を蒸発器として機能させる場合とで、前記保護制御開始温度と前記吐出温度領域の区画および同吐出温度領域に対応する駆動制御を異ならせ、
前記吐出温度保護制御では、現在の吐出温度が該当する前記吐出温度領域に対応した前記駆動制御に加えて、前記現在の吐出温度より低い温度が該当する前記各吐出温度領域に対応する前記駆動制御を全て実行することを特徴とする空気調和装置
【請求項２】
前記吐出温度保護制御テーブルにおいて、前記室外熱交換器を凝縮器として機能させる場合の前記複数の駆動制御には、少なくとも、冷媒乾き度調整手段により前記圧縮機に吸入される冷媒の乾き度を下げる液インジェクション制御と、前記圧縮機の回転数を所定の割合で低下させる圧縮機回転数制御とが含まれることを特徴とする請求項１に記載の空気調和装置。
【請求項３】
前記吐出温度保護制御テーブルにおいて、前記室外熱交換器を蒸発器として機能させる場合の前記複数の駆動制御には、少なくとも、冷媒乾き度調整手段により前記圧縮機に吸入される冷媒の乾き度を下げる液インジェクション制御と、前記圧縮機の回転数を所定の割合で低下させる圧縮機回転数制御と、前記室外膨張弁を所定の割合で開いて前記室外熱交換器を介して前記圧縮機に吸入される冷媒量を増やす室外膨張弁制御とが含まれることを特徴とする請求項１に記載の空気調和装置。
【請求項４】
前記吐出温度保護制御テーブルにおいて、前記室外熱交換器を凝縮器として機能させる場合は、前記保護制御開始温度から前記吐出温度が上昇する方向に向かって、前記液インジェクション制御、前記圧縮機回転数制御の順番で前記各吐出温度領域に対応して定められていることを特徴とする請求項１または請求項２に記載の空気調和装置。
【請求項５】
前記吐出温度保護制御テーブルにおいて、前記室外熱交換器を蒸発器として機能させる場合は、前記保護制御開始温度から前記吐出温度が上昇する方向に向かって、前記室外膨張弁制御、前記液インジェクション制御、前記圧縮機回転数制御の順番で前記各吐出温度領域に対応して定められていることを特徴とする請求項１または請求項３に記載の空気調和装置。
【発明の詳細な説明】
【技術分野】
【０００１】
本発明は、室外機と室内機とが冷媒配管で接続された空気調和装置に係わり、より詳細には、圧縮機の吐出温度保護を効果的に行うことができる空気調和装置に関する。
【背景技術】
【０００２】
従来、少なくとも１台の室外機と少なくとも１台の室内機とを有し、室外機に備えられた圧縮機、室外熱交換器、室外膨張弁と、室内機に備えられた室内熱交換器とが冷媒配管で接続されてなる冷媒回路を有する空気調和装置では、冷凍サイクルに設けられた各種温度センサや各種圧力センサでの検出値を用いて、圧縮機で個別に定められている吐出温度の上限値や吐出圧力の上限値を超えないように圧縮機を保護するための様々な制御（以下、圧縮機保護制御と記載する）が提案されている。
【０００３】
圧縮機保護制御の一例として、検出した圧力や温度に応じて、圧縮機の回転数を下げる、あるいは、圧縮機を停止することによって、圧縮機の吐出温度や吐出圧力が上限値を超えないようにするものが提案されている。
【０００４】
例えば、特許文献１に記載の空気調和装置では、室外熱交換器や室内熱交換器に温度センサが備えられており、温度センサを用いてこれら熱交換器が凝縮器として機能しているときの凝縮温度を検出している。また、この空気調和装置では、凝縮温度を高い方から所定の温度幅で分けた圧縮機回転数の制御ゾーンを定めており、凝縮温度が高い方から順に、低下、保持、上昇、復帰、の４つのゾーンに分けている。
【０００５】
そして、検出した凝縮温度が低下ゾーンにある場合は、圧縮機の最大回転数を所定回転数に制限するとともに圧縮機回転数を所定の速度で低下させて凝縮温度を下げる。凝縮温度が低下して保持ゾーンの温度帯となった場合は、圧縮機回転数を保持する。この状態で凝縮温度が低下して上昇ゾーンの温度帯となった場合は、上述した最大回転数を上限として所定の速度で圧縮機回転数を上昇させる。さらに凝縮温度が低下して復帰ゾーンの温度帯となった場合は、上述した所定回転数をキャンセルして圧縮機回転数を最大回転数以上の回転数まで上昇させることを許可して、通常の圧縮機回転数制御に復帰させる。
【０００６】
以上説明した圧縮機保護制御では、圧縮機の回転数に最大回転数という上限を設定し、凝縮温度が低い段階から最大回転数を上限とし凝縮温度に応じて圧縮機の回転数を制御する。従って、圧縮機の運転負荷が急激に増加した場合でも圧縮機の吐出温度が上限値を超えないよう圧縮機の吐出温度保護を行い、圧縮機の故障ひいては冷媒回路が機能しなくなることを防止している。
【先行技術文献】
【特許文献】
【０００７】
【特許文献１】特開２０１０−２１０１９８号公報（第７〜８頁、第２図）
【発明の概要】
【発明が解決しようとする課題】
【０００８】
しかし、上述した圧縮機保護制御を行う空気調和装置では、凝縮温度が低下ゾーンにあれば圧縮機の回転数を低下させているので、圧縮機の回転数低下に応じて冷凍サイクルの運転能力が低下するという問題があった。従って、圧縮機保護制御を行っている場合は、室内機で要求される空調負荷に見合った空調能力を発揮できずに使用者に不快感を与える虞があった。
【０００９】
本発明は以上述べた問題点を解決するものであって、空調運転時の運転能力の低下をできる限り抑えつつ圧縮機の吐出温度保護が行える空気調和装置を提供することを目的とする。
【課題を解決するための手段】
【００１０】
上記の課題を解決するために、本発明の空気調和装置は、１台もしくは複数の圧縮機と、室外熱交換器と、流路切換手段と、室外膨張弁と、圧縮機から吐出される冷媒の温度である吐出温度を検出する吐出温度検出手段と、圧縮機に吸入される冷媒の乾き度を下げる冷媒乾き度調整手段と、を備えた少なくとも１台の室外機を有している。また、室内熱交換器と室内膨張弁とを備えた少なくとも１台の室内機を有している。空気調和装置では、圧縮機の吐出温度の上昇を抑制するための複数の駆動制御を、圧縮機の吐出温度を所定の温度幅で区画した複数の吐出温度領域に対応させて実行する吐出温度保護制御が行われる。そして、この吐出温度保護制御は、室外熱交換器を凝縮器として機能させる場合と室外熱交換器を蒸発器として機能させる場合とで、吐出温度保護制御を開始する保護制御開始温度や吐出温度領域の数や吐出温度領域に対応する駆動制御を異ならせている。
【発明の効果】
【００１１】
上記のように構成した本発明の空気調和装置は、室外熱交換器を凝縮器として機能させる場合と室外熱交換器を蒸発器として機能させる場合とで、保護制御開始温度や吐出温度領域の領域数や吐出温度領域に対応する駆動制御を異ならせて吐出温度保護制御を実行する。これにより、室外熱交換器が担う機能に応じた最適な圧縮機の吐出温度保護を行うことができ、かつ、空気調和装置の冷凍サイクルの運転能力の低下をできる限り抑えることができる。
【図面の簡単な説明】
【００１２】
【図１】本発明の実施例における、冷房主体運転を行う場合の冷媒の流れを説明する冷媒回路図である。
【図２】本発明の実施例における、暖房主体運転を行う場合の冷媒の流れを説明する冷媒回路図である。
【図３】本発明の実施例における、各駆動制御の運転モード毎の実行／不実行を定めた駆動制御項目テーブルである。
【図４】本発明の実施例における、冷房時の吐出温度保護の制御態様を定めた冷房時吐出温度保護テーブルである。
【図５】本発明の実施例における、暖房時の吐出温度保護の制御態様を定めた暖房時吐出温度保護テーブルである。
【図６】本発明の実施例における、冷房時の吐出温度保護制御を実行する際の処理を説明するフローチャートである。
【図７】本発明の実施例における、暖房時の吐出温度保護制御を実行する際の処理を説明するフローチャートである。
【発明を実施するための形態】
【００１３】
以下、本発明の実施の形態を、添付図面に基づいて詳細に説明する。実施例としては、３台の室外機と５台の室内機とが相互に冷媒配管で接続され、室内機毎に冷房運転と暖房運転とを選択して運転できる、所謂冷暖房フリーの運転が行える空気調和装置を例に挙げて説明する。尚、本発明は以下の実施形態に限定されることはなく、本発明の主旨を逸脱しない範囲で種々変形することが可能である。
【実施例】
【００１４】
図１および図２に示すように、本実施例における空気調和装置１は、３台の室外機２ａ〜２ｃと、５台の室内機８ａ〜８ｅと、５台の分流ユニット６ａ〜６ｅと、分岐器７０、７１、７２とを備えている。これら室外機２ａ〜２ｃと室内機８ａ〜８ｅと分流ユニット６ａ〜６ｅと分岐器７０、７１、７２とが、高圧ガス管３０と、高圧ガス分管３０ａ〜３０ｃと、低圧ガス管３１と、低圧ガス分管３１ａ〜３１ｃと、液管３２と、液分管３２ａ〜３２ｃとで相互に接続されることによって、空気調和装置１の冷媒回路が構成される。
【００１５】
この空気調和装置１では、室外機２ａ〜２ｃや分流ユニット６ａ〜６ｅに備えられた各種弁類を開閉したり切り換えたりすることによって、暖房運転（全ての室内機が暖房運転）、暖房主体運転（暖房運転を行っている室内機で要求される能力全体が冷房運転を行っている室内機で要求される能力全体を上回る場合）、冷房運転（全ての室内機が冷房運転）、冷房主体運転（冷房運転を行っている室内機で要求される能力全体が暖房運転を行っている室内機で要求される能力全体を上回る場合）等、様々な運転動作が可能である。
【００１６】
図１は、これら運転動作の中から冷房主体運転を行っている場合の冷媒回路を示しており、図２は暖房主体運転を行っている場合の冷媒回路を示している。まずは、これら図１および図２を用いて、室外機２ａ〜２ｃの構成について説明するが、室外機２ａ〜２ｃの構成は全て同じであるため、以下の説明では室外機２ａの構成についてのみ説明を行い、室外機２ｂと室外機２ｃとについては詳細な説明は省略する。
【００１７】
図１および図２に示すように、室外機２ａは、圧縮機２１ａと、流路切換手段である四方弁２２ａと、室外熱交換器２３ａと、補助熱交換器２４ａと、アキュムレータ２５ａと、室外膨張弁２６ａと、補助膨張弁２７ａと、室外ファン２８ａと、閉鎖弁４０ａ、４１ａ、４２ａとを備えている。
【００１８】
圧縮機２１ａは、インバータにより回転数が制御される図示しないモータによって駆動されることで運転容量を可変できる容量可変型圧縮機である。圧縮機２１ａの吐出側は、室外機高圧ガス管３３ａで閉鎖弁４０ａに接続されている。また、圧縮機２１ａの吸入側は、アキュムレータ２５ａの流出側に冷媒配管３９ａで接続されており、アキュムレータ２５ａの流入側は、室外機低圧ガス管３４ａで閉鎖弁４１ａに接続されている。
【００１９】
四方弁２２ａは、冷媒の流れる方向を切り換えるための弁であり、ａ、ｂ、ｃ、ｄの４つのポートを備えている。ポートａには、室外機高圧ガス管３３ａと接続点Ａで接続する冷媒配管が接続されている。また、ポートｂと室外熱交換器２３ａとが冷媒配管３６ａで接続され、ポートｃに接続された冷媒配管３７ａは接続点Ｄで室外機低圧ガス管３４ａに接続されている。尚、ポートｄは封止されている。
【００２０】
室外熱交換器２３ａは、冷媒と後述する室外ファン２８ａにより室外機２ａ内部に取り込まれた外気とを熱交換させるものであり、室外熱交換器２３ａの一端は、上述したように四方弁２２ａのポートｂに冷媒配管３６ａで接続され、他端は室外膨張弁２６ａの一方のポートに冷媒配管で接続されている。尚、室外膨張弁２６ａの他方のポートは、閉鎖弁４２ａと室外機液管３５ａで接続されている。室外熱交換器２３ａは、空気調和装置１が冷房／冷房主体運転を行う場合は凝縮器として機能し、暖房／暖房主体運転を行う場合は蒸発器として機能する。
【００２１】
補助熱交換器２４ａは、室外機液管３５ａにおける室外膨張弁２６ａと閉鎖弁４２ａとの間に組み込まれている。また、補助熱交換器２４ａには、一端が室外機液管３５ａにおける室外膨張弁２６ａと補助熱交換器２４ａとの間の接続点Ｂに接続され、他端が接続点Ｃで室外機低圧ガス管３４ａに接続されたバイパス管３８ａが組み込まれている。補助熱交換器２４ａでは、室外機液管３５ａを流れる冷媒と、バイパス管３８ａを流れる冷媒との間で熱交換が行われる。尚、バイパス管３８ａにおける接続点Ｂと補助熱交換器２４ａとの間には、補助膨張弁２７ａが組み込まれている。
【００２２】
アキュムレータ２５ａは、流入側が室外機低圧ガス管３４ａに接続され、流出側が圧縮機２１ａの吸入側と冷媒配管３９ａで接続されている。アキュムレータ２５ａは、流入した冷媒をガス冷媒と液冷媒とに分離し、ガス冷媒のみを圧縮機２１ａに吸入させる。
【００２３】
室外ファン２８ａは、室外熱交換器２３ａの近傍に配置される樹脂材で形成されたプロペラファンであり、図示しないファンモータによって回転することで、室外機２ａ内に外気を取り込み、室外熱交換器２３ａにおいて冷媒と外気とを熱交換させた後、熱交換した外気を室外機２ａ外部へ放出する。
【００２４】
以上説明した構成の他に、室外機２ａには各種のセンサが設けられている。図１および図２に示すように、室外機高圧ガス管３３ａにおける圧縮機２１ａの吐出口と接続点Ａとの間には、圧縮機２１ａから吐出される冷媒の圧力を検出する高圧センサ５０ａと、圧縮機２１ａから吐出される冷媒の温度を検出する吐出温度検出手段である吐出温度センサ５３ａとが設けられている。また、室外機低圧ガス管３４ａにおける接続点Ｄとアキュムレータ２５ａの流入口との間には、圧縮機２１ａに吸入される冷媒の圧力を検出する低圧センサ５１ａと、圧縮機２１ａに吸入される冷媒の温度を検出する吸入温度センサ５４ａとが設けられている。また、室外機液管３５ａにおける補助熱交換器２４ａと閉鎖弁４２ａとの間には、室外機液管３５ａを流れる冷媒の圧力を検出する中間圧センサ５２ａと、室外機液管３５ａを流れる冷媒の温度を検出する冷媒温度センサ５５ａとが設けられている。
【００２５】
冷媒配管３６ａには、室外熱交換器２３ａから流出あるいは室外熱交換器２３ａへ流入する冷媒の温度を検出する熱交温度センサ５６ａが設けられている。バイパス管３８ａにおける補助熱交換器２４ａの入口側には、補助熱交換器２４ａに流入する冷媒の温度を検出する入口温度センサ５７ａが設けられ、バイパス管３８ａにおける補助熱交換器２４ａの出口側には、補助熱交換器２４ａから流出する冷媒の温度を検出する出口温度センサ５８ａが設けられている。さらには、室外機２ａの図示しない外気の吸込口付近には、室外機２ａ内に流入する外気の温度、すなわち外気温度を検出する外気温度センサ５９ａが備えられている。
【００２６】
室外機２ａには、制御部１００ａが備えられている。制御部１００ａは、室外機２ａの図示しない電装品箱に格納されている制御基板に搭載されており、ＣＰＵ１１０ａと、記憶部１２０ａと、通信部１３０ａとを備えている。ＣＰＵ１１０ａは、室外機２ａの上述した各センサからの検出信号を取り込むとともに、各室内機８ａ〜８ｅから出力される制御信号を通信部１３０ａを介して取り込む。ＣＰＵ１１０ａは、取り込んだ検出信号や制御信号に基づいて圧縮機２１ａや室外ファン２８ａの回転制御、四方弁２２ａの切り換え制御、室外膨張弁２６ａの開度制御、といった室外機２ａの運転に関する様々な制御を行う。
【００２７】
記憶部１２０ａは、ＲＯＭやＲＡＭで構成されており、室外機２ａの制御プログラムや各センサからの検出信号に対応した検出値を記憶する。通信部１３０ａは、室外機２ａと室内機８ａ〜８ｅとの通信を仲介するインターフェイスである。
【００２８】
以上、室外機２ａの構成について説明したが、室外機２ｂおよび室外機２ｃの構成は室外機２ａと同じであり、室外機２ａの構成要素（装置や部材）に付与した番号の末尾をａからｂもしくはｃに変更したものが、室外機２ａの構成要素と対応する室外機２ｂおよび室外機２ｃの構成要素となる。但し、四方弁、および、冷媒配管の接続点については、室外機２ａと室外機２ｂおよび室外機２ｃとで記号を異ならせており、室外機２ａの四方弁２２ａにおけるポートａ、ｂ、ｃ、ｄに対応するものを室外機２ｂの四方弁２２ｂではそれぞれポートｅ、ｆ、ｇ、ｈとし、室外機２ｃの四方弁２２ｃではそれぞれポートｊ、ｋ、ｍ、ｎとしている。また、室外機２ａにおける接続点Ａ、Ｂ、Ｃ、Ｄに対応するものを、室外機２ｂではそれぞれ接続点Ｅ、Ｆ、Ｇ、Ｈ、室外機２ｃではそれぞれ接続点Ｊ、Ｋ、Ｍ、Ｎとしている。
【００２９】
次に、５台の室内機８ａ〜８ｅの構成について、図１および図２を用いて説明する。尚、室内機８ａ〜８ｅの構成は全て同じであるため、以下の説明では、室内機８ａの構成についてのみ説明を行い、その他の室内機８ｂ〜８ｅについては説明を省略する。
【００３０】
室内機８ａは、室内熱交換器８１ａと、室内膨張弁８２ａと、室内ファン８３ａとを備えている。室内熱交換器８１ａは、一端が室内膨張弁８２ａの一方のポートに冷媒配管で接続され、他端が後述する分流ユニット６ａに冷媒配管で接続されている。室内熱交換器８１ａは、室内機８ａが冷房運転を行う場合は蒸発器として機能し、室内機８ａが暖房運転を行う場合は凝縮器として機能する。
【００３１】
室内膨張弁８２ａは、一方のポートが上述したように室内熱交換器８１ａに冷媒配管で接続され、他方のポートが液管３２に接続されている。室内膨張弁８２ａは、室内熱交換器８１ａが蒸発器として機能する場合は、その開度が要求される冷房能力に応じて調整され、室内熱交換器８１ａが凝縮器として機能する場合は、その開度が要求される暖房能力に応じて調整される。
【００３２】
室内ファン８３ａは、樹脂材で形成されたクロスフローファンであり、図示しないファンモータによって回転することで、室内機８ａ内に室内空気を取り込み、室内熱交換器８１ａにおいて冷媒と室内空気とを熱交換させた後、熱交換した空気を室内へ供給する。
【００３３】
以上説明した構成の他に、室内機８ａには各種のセンサが設けられている。室内熱交換器８１ａの室内膨張弁８２ａ側の冷媒配管には、室内熱交換器８１ａに流入または室内熱交換器８１ａから流出する冷媒の温度を検出する冷媒温度センサ８４ａが設けられている。また、室内熱交換器８１ａの分流ユニット６ａ側の冷媒配管には、室内熱交換器８１ａに流入または室内熱交換器８１ａから流出する冷媒の温度を検出する冷媒温度センサ８５ａが設けられている。さらには、室内機８ａの図示しない室内空気の吸込口付近には、室内機８ａ内に流入する室内空気の温度、すなわち室内温度を検出する室温センサ８６ａが備えられている。
【００３４】
以上、室内機８ａの構成について説明したが、室内機８ｂ〜８ｅの構成は室内機８ａと同じであり、室内機８ａの構成要素（装置や部材）に付与した番号の末尾をａからｂ、ｃ、ｄおよびｅにそれぞれ変更したものが、室外機８ａの構成要素と対応する室内機８ｂ〜８ｅの構成要素となる。
【００３５】
尚、図示は省略するが、各室内機８ａ〜８ｅには制御部が備えられている。室内機８ａ〜８ｅの制御部は、室内機８ａ〜８ｅの各センサからの検出信号を取り込むとともに、図示しない空気調和装置１のリモートコントローラからの制御信号を取り込む。室内機８ａ〜８ｅの制御部は、取り込んだ検出信号や制御信号に基づいて室内機８ａ〜８ｅの制御を行う。また、室内機８ａ〜８ｅの制御部は、室内機８ａ〜８ｅの運転モード（冷房運転／暖房運転）に応じて、対応する分流ユニット６ａ〜６ｅの第１電磁弁６１ａ〜６１ｅおよび第２電磁弁６２ａ〜６２ｅをそれぞれ開閉する。
以上説明した制御部１００ａ〜１００ｃと室内機８ａ〜８ｅに備えられた各制御部とで、空気調和装置１の制御手段が構成されている。
【００３６】
次に、５台の分流ユニット６ａ〜６ｅの構成について、図１および図２を用いて説明する。空気調和装置１には、５台の室内機８ａ〜８ｅに対応して５台の分流ユニット６ａ〜６ｅが備えられている。尚、分流ユニット６ａ〜６ｅの構成は全て同じであるため、以下の説明では、分流ユニット６ａの構成についてのみ説明を行い、その他の分流ユニット６ｂ〜６ｅについては説明を省略する。
【００３７】
分流ユニット６ａは、電磁弁６１ａと、電磁弁６２ａと、第１分流管６３ａと、第２分流管６４ａとを備えている。第１分流管６３ａの一端は高圧ガス管３０に接続されており、第２分流管６４ａの一端は低圧ガス管３１に接続されている。また、第１分流管６３ａの他端と第２分流管６４ａの他端とが相互に接続され、この接続部と室内熱交換器８１ａとが冷媒配管で接続されている。
【００３８】
第１分流管６３ａには電磁弁６１ａが、また、第２分流管６４ａには電磁弁６２ａが、それぞれ組み込まれている。電磁弁６１ａおよび電磁弁６２ａのうちいずれか一方を開き他方を閉じることによって、分流ユニット６ａに対応する室内機８ａの室内熱交換器８１ａが、圧縮機２１の吐出側（高圧ガス管３０側）または吸入側（低圧ガス管３１側）に接続されるようにすることで、室内熱交換器８１ａを蒸発器あるいは凝縮器として機能させる。
【００３９】
以上、分流ユニット６ａについて説明したが、分流ユニット６ｂ〜６ｅの構成は分流ユニット６ａと同じであり、分流ユニット６ａの構成要素（装置や部材）に付与した番号の末尾をａからｂ、ｃ、ｄおよびｅにそれぞれ変更したものが、分流ユニット６ａの構成要素と対応する分流ユニット６ｂ〜６ｅの構成要素となる。
【００４０】
次に、以上説明した室外機２ａ〜２ｃ、室内機８ａ〜８ｅおよび分流ユニット６ａ〜６ｅと、高圧ガス管３０、高圧ガス分管３０ａ〜３０ｃ、低圧ガス管３１、低圧ガス分管３１ａ〜３１ｃ、液管３２、液分管３２ａ〜３２ｃ、および、分岐器７０、７１、７２との接続状態を、図１および図２を用いて説明する。室外機２ａ〜２ｃの閉鎖弁４０ａ〜４０ｃには高圧ガス分管３０ａ〜３０ｃの一端がそれぞれ接続され、高圧ガス分管３０ａ〜３０ｃの他端は全て分岐器７０に接続される。この分岐器７０に高圧ガス管３０の一端が接続され、高圧ガス管３０の他端は分岐して分流ユニット６ａ〜６ｅの第１分流管６３ａ〜６３ｅに接続される。
【００４１】
室外機２ａ〜２ｃの閉鎖弁４１ａ〜４１ｃには低圧ガス分管３１ａ〜３１ｃの一端がそれぞれ接続され、低圧ガス分管３１ａ〜３１ｃの他端は全て分岐器７１に接続される。この分岐器７１に低圧ガス管３１の一端が接続され、低圧ガス管３１の他端は分岐して分流ユニット６ａ〜６ｅの第２分流管６４ａ〜６４ｅに接続される。
【００４２】
室外機２ａ〜２ｃの閉鎖弁４２ａ〜４２ｃには液分管３２ａ〜３２ｃの一端がそれぞれ接続され、液分管３２ａ〜３２ｃの他端は全て分岐器７２に接続される。この分岐器７２に液管３２の一端が接続され、液管３２の他端は分岐してそれぞれ室内機８ａ〜８ｅの室内膨張弁８２ａ〜８２ｅに接続されている冷媒配管に接続される。
【００４３】
また、対応する室内機８ａ〜８ｅの室内熱交換器８１ａ〜８１ｅと、分流ユニット６ａ〜６ｅにおける第１分流管６３ａ〜６３ｅと第２分流管６４ａ〜６４ｅとの接続点が、それぞれ冷媒配管で接続される。
以上説明した接続によって、空気調和装置１の冷媒回路が構成され、冷媒回路に冷媒を流すことによって冷凍サイクルが成立する。
【００４４】
次に、本実施例における空気調和装置１の運転動作について、図１および図２を用いて説明する。尚、以下の説明では、室外機２ａ〜２ｃや室内機８ａ〜８ｅに備えられた各熱交換器が凝縮器となる場合はハッチングを付し、蒸発器となる場合は白抜きで図示する。また、室外機２ａ〜２ｃに備えられた補助膨張弁２７ａ〜２７ｃや、分流ユニット６ａ〜６ｅに備えられた電磁弁６１ａ〜６１ｅおよび電磁弁６２ａ〜６２ｅの開閉状態については、閉じている場合を黒塗りで、開いている場合を白抜きで図示する。また、矢印は冷媒の流れを示している。
【００４５】
まず、空気調和装置１が冷房主体運転を行っている場合について、図１を用いて説明する。図１に示すように、５台の室内機８ａ〜８ｅのうち、３台の室内機８ａ〜８ｃが冷房運転を行い、残りの室内機８ｄ、８ｅが暖房運転を行っているときに、冷房運転を行っている３台の室内機８ａ〜８ｃで要求される能力全体が、暖房運転を行っている室内機８ｄ、８ｅで要求される能力全体を上回る場合は、空気調和装置１は冷房主体運転となる。尚、以下の説明では、室内機８ａ〜８ｅで要求される運転能力が大きいため全ての室外機２ａ〜２ｃを運転する場合について説明する。
【００４６】
具体的には、室外機２ａのＣＰＵ１１０ａは、ポートａとポートｂとが連通するよう、また、ポートｃとポートｄとが連通するように四方弁２２ａを切り換える。これにより、冷媒配管３６ａが室外機高圧ガス管３３ａに接続されて室外熱交換器２３ａが圧縮機２１ａの吐出側に接続され、室外熱交換器２３ａを凝縮器として機能するようにする。同様に、室外機２ｂのＣＰＵ１１０ｂは、ポートｅとポートｆとが連通するよう、また、ポートｇとポートｈとが連通するように四方弁２２ｂを切り換えて、室外熱交換器２３ｂを凝縮器として機能するようにし、室外機２ｃのＣＰＵ１１０ｃは、ポートｊとポートｋとが連通するよう、また、ポートｍとポートｎとが連通するように四方弁２２ｃを切り換えて、室外熱交換器２３ｃを凝縮器として機能するようにする。
【００４７】
冷房運転を行う室内機８ａ〜８ｃの制御部は、各々に対応する分流ユニット６ａ〜６ｃの電磁弁６１ａ〜６１ｃを閉じて第１分流管６３ａ〜６３ｃを遮断するとともに、電磁弁６２ａ〜６２ｃを開いて第２分流管６４ａ〜６４ｃを連通させる。これにより、室内機８ａ〜８ｃの室内熱交換器８１ａ〜８１ｃは蒸発器として機能するようになる。
【００４８】
一方、暖房運転を行う室内機８ｄ、８ｅの制御部は、各々に対応する分流ユニット６ｄ、６ｅの電磁弁６１ｄ、６１ｅを開いて第１分流管６３ｄ、６３ｅを連通させるとともに、電磁弁６２ｄ、６２ｅを閉じて第２分流管６４ｄ、６４ｅを遮断する。これにより、室内機８ｄ、８ｅの室内熱交換器８１ｄ、８１ｅは凝縮器として機能するようになる。
【００４９】
圧縮機２１ａ〜２１ｃから吐出された高圧の冷媒は、接続点Ａ、Ｅ、Ｊで四方弁２２ａ〜２２ｃ側と室外機高圧ガス管３３ａ〜３３ｃ側へ分流する。四方弁２２ａ〜２２ｃを通過し冷媒配管３６ａ〜３６ｃを流れて室外熱交換器２３ａ〜２３ｃに流入した冷媒は外気と熱交換を行って凝縮する。室外熱交換器２３ａ〜２３ｃで凝縮した冷媒は、ＣＰＵ１１０ａ〜１１０ｃにより、高圧センサ５０ａ〜５０ｃから取り込んだ圧縮機２１ａ〜２１ｃの吐出圧力と、中間圧センサ５２ａ〜５２ｃから取り込んだ液圧との差に応じた開度とされた室外膨張弁２６ａ〜２６ｃを通過して中間圧の冷媒となる。
【００５０】
室外膨張弁２６ａ〜２６ｃを通過した冷媒は、接続点Ｂ、Ｆ、Ｋで室外機液管３５ａ〜３５ｃ側とバイパス管３８ａ〜３８ｃ側とに分流する。バイパス管３８ａ〜３８ｃに流入した冷媒は、補助膨張弁２７ａ〜２７ｃを通過して低圧の冷媒となり、補充熱交換器２４ａ〜２４ｃを通過して接続点Ｃ、Ｇ、Ｍから室外機低圧ガス管３４ａ〜３４ｃに流入する。尚、補助膨張弁２７ａ〜２７ｃの開度は、ＣＰＵ１１０ａ〜１１０ｃにより、出口温度センサ５８ａ〜５８ｃから取り込んだ冷媒温度と入口温度センサ５７ａ〜５７ｃから取り込んだ冷媒温度との差温に応じて制御される。
【００５１】
室外機液管３５ａ〜３５ｃを流れて補助熱交換器２４ａ〜２４ｃに流入した中間圧の冷媒は、バイパス管バイパス管３８ａ〜３８ｃを流れて補助熱交換器２４ａ〜２４ｃに流入した低圧の冷媒と熱交換を行って過冷却される。そして、補助熱交換器２４ａ〜２４ｃから流出した冷媒は、閉鎖弁４２ａ〜４２ｃを介して液分管３２ａ〜３２ｃを流れて分岐器７２で合流し、液管３２から室内機８ａ〜８ｃへ流入する。
【００５２】
室内機８ａ〜８ｃへ流入した冷媒は、室内膨張弁８２ａ〜８２ｃで減圧され低圧の冷媒となって室内熱交換器８１ａ〜８１ｃに流入する。室内熱交換器８１ａ〜８１ｃに流入した冷媒は、室内空気と熱交換を行って蒸発し、これにより室内機８ａ〜８ｃが設置された室内の冷房が行われる。尚、室内機８ａ〜８ｃの制御部は、冷媒温度センサ８４ａ〜８４ｃから取り込んだ冷媒温度および冷媒温度センサ８５ａ〜８５ｃから取り込んだ冷媒温度から、蒸発器である室内熱交換器８１ａ〜８１ｃでの冷媒過熱度を求め、これに応じて室内膨張弁８２ａ〜８２ｃの開度を決定している。
【００５３】
室内熱交換器８１ａ〜８１ｃから流出した冷媒は分流ユニット６ａ〜６ｃに流入し、開となっている第２電磁弁６２ａ〜６２ｃが備えられた第２分流管６４ａ〜６４ｃを流れて低圧ガス管３１に流入する。分流ユニット６ａ〜６ｃから低圧ガス管３１に流入した冷媒は分岐器７１に流入し、分岐器７１から低圧ガス分管３１ａ〜３１ｃに分流する。低圧ガス分管３１ａ〜３１ｃを流れて室外機２ａ〜２ｃに流入した冷媒は、室外機低圧ガス管３４ａ〜３４ｃからアキュムレータ２５ａ〜２５ｃを介して冷媒配管３９ａ〜３９ｃを流れて圧縮機２１に吸入されて再び圧縮される。
【００５４】
一方、接続点Ａ、Ｅ、Ｊから室外機高圧ガス管３０ａ〜３０ｃを流れ、閉鎖弁４０ａ〜４０ｃを介して高圧ガス分管３０ａ〜３０ｃに流入した高圧の冷媒は、分岐器７０で合流して高圧ガス管３０に流れ、高圧ガス管３０から分流ユニット６ｄ、６ｅに流入する。分流ユニット６ｄ、６ｅに流入した冷媒は、開となっている第１電磁弁６１ｄ、６１ｅが備えられた第１分流管６３ｄ、６３ｅを流れて室内機８ｄ、８ｅに流入する。室内機８ｄ、８ｅに流入した冷媒は、室内熱交換器８１ｄ、８１ｅに流入して室内空気と熱交換を行って凝縮し、これにより室内機８ｄ、８ｅが設置された室内の暖房が行われる。室内熱交換器８１ｄ、８１ｅから流出した冷媒は、室内膨張弁８２ｄ、８２ｅを通過して減圧され中間圧の冷媒となる。
【００５５】
尚、室内機８ｄ、８ｅの制御部は、冷媒温度センサ８４ｄ、８４ｅから取り込んだ冷媒温度および室外機２から得た高圧飽和温度（例えば、高圧センサ５０で検出した圧力から算出）から、凝縮器である室内熱交換器８１ｄ、８１ｅでの冷媒過冷却度を求め、これに応じて室内膨張弁８２ｄ、８２ｅの開度を決定している。
室内機８ｄ、８ｅから流出した冷媒は、液管３２に流入し、冷房運転を行っている室内機８ａ〜８ｃに流入する。
【００５６】
次に、空気調和装置１が暖房主体運転を行っている場合について、図２を用いて説明する。図２に示すように、５台の室内機８ａ〜８ｅのうち、３台の室内機８ａ〜８ｃが暖房運転を行い、残りの室内機８ｄ、８ｅが冷房運転を行っているときに、暖房運転を行っている３台の室内機８ａ〜８ｃで要求される能力全体が、冷房運転を行っている室内機８ｄ、８ｅで要求される能力全体を上回る場合は、空気調和装置１は暖房主体運転となる。尚、以下の説明では、室内機８ａ〜８ｅで要求される運転能力が大きいため全ての室外機２ａ〜２ｃを運転する場合について説明する。
【００５７】
具体的には、室外機２ａのＣＰＵ１１０ａは、ポートａとポートｄとが連通するよう、また、ポートｂとポートｃとが連通するように四方弁２２ａを切り換える。これにより、冷媒配管３６ａが室外機低圧ガス管３４ａに接続されて室外熱交換器２３ａが圧縮機２１ａの吸入側に接続され、室外熱交換器２３ａを蒸発器として機能するようにする。同様に、室外機２ｂのＣＰＵ１１０ｂは、ポートｅとポートｈとが連通するよう、また、ポートｆとポートｇとが連通するように四方弁２２ｂを切り換えて、室外熱交換器２３ｂを蒸発器として機能するようにし、室外機２ｃのＣＰＵ１１０ｃは、ポートｊとポートｎとが連通するよう、また、ポートｋとポートｍとが連通するように四方弁２２ｃを切り換えて、室外熱交換器２３ｃを蒸発器として機能するようにする。
【００５８】
暖房運転を行う室内機８ａ〜８ｃの制御部は、各々に対応する分流ユニット６ａ〜６ｃの電磁弁６１ａ〜６１ｃを開いて第１分流管６３ａ〜６３ｅを連通させるとともに、電磁弁６２ａ〜６２ｃを閉じて第２分流管６４ａ〜６４ｃを遮断する。これにより、室内機８ａ〜８ｃの室内熱交換器８１ａ〜８１ｃは凝縮器として機能するようになる。
【００５９】
一方、冷房運転を行う室内機８ｄ、８ｅの制御部は、各々に対応する分流ユニット６ｄ、６ｅの電磁弁６１ｄ、６１ｅを閉じて第１分流管６３ｄ、６３ｅを遮断するとともに、電磁弁６２ｄ、６２ｅを開いて第２分流管６４ｄ、６４ｅを連通させる。これにより、室内機８ｄ、８ｅの室内熱交換器８１ｄ、８１ｅは蒸発器として機能するようになる。
【００６０】
圧縮機２１ａ〜２１ｃから吐出された高圧の冷媒は、室外機高圧ガス管３３ａ〜３３ｃを流れ、閉鎖弁４０ａ〜４０ｃを介して高圧ガス分管３０ａ〜３０ｃに流入する。高圧ガス分管３０ａ〜３０ｃに流入した冷媒は、分岐器７０で合流して高圧ガス管３０に流入し高圧ガス管３０から分流ユニット６ａ〜６ｃに流入する。分流ユニット６ａ〜６ｃに流入した冷媒は、開となっている第１電磁弁６１ａ〜６１ｃが備えられた第１分流管６３ａ〜６３ｃを流れて分流ユニット６ａ〜６ｃから流出し、対応する室内機８ａ〜８ｃに流入する。
【００６１】
室内機８ａ〜８ｃに流入した冷媒は、室内熱交換器８１ａ〜８１ｃに流入して室内空気と熱交換を行って凝縮し、これにより室内機８ａ〜８ｃが設置された室内の暖房が行われる。室内熱交換器８１ａ〜８１ｃから流出した冷媒は、室内膨張弁８２ａ〜８２ｃを通過して減圧され中間圧の冷媒となる。尚、室内機８ａ〜８ｃの制御部は、液側温度センサ８４ａ〜８４ｃで検出した冷媒温度および室外機２から受信した高圧飽和温度から、凝縮器である室内熱交換器８１ａ〜８１ｃでの冷媒過冷却度を求め、これに応じて室内膨張弁８２ａ〜８２ｃの開度を決定している。
【００６２】
室内機８ａ〜８ｃから流出した冷媒は液管３２に流入する。液管３２に流入した冷媒は、一部が分岐器７２に流入し、残りは液管３２を流れて室内機８ｄ，８ｅに流入する。分岐器７２に流入した冷媒は、液分管３２ａ〜３２ｃに分流し、閉鎖弁４２ａ〜４２ｃを介して室外機２ａ〜２ｃに流入する。室外機２ａ〜２ｃに流入した冷媒は、室外機液管３５ａ〜３５ｃを流れて補助熱交換器２４ａ〜２４ｃを通過し室外膨張弁２６ａ〜２６ｃに流入する。尚、図２に示すように、本実施例における暖房主体運転では、補助膨張弁２７ａ〜２７ｃは全閉としているので、室外機液管３５ａ〜３５ｃを流れる冷媒は、接続点Ｂ、Ｆ、Ｋからバイパス管３８ａ〜３８ｃへは流れない。
【００６３】
室外膨張弁２６ａ〜２６ｃを通過する際に減圧された低圧の冷媒は、室外熱交換器２３ａ〜２３ｃに流入して外気と熱交換を行って蒸発する。室外熱交換器２３ａ〜２３ｃから流出した冷媒は、四方弁２２ａ〜２２ｃを通過して冷媒配管３７ａ〜３７ｃに流入し、接続点Ｄ、Ｈ、Ｎから室外機低圧ガス管３４ａ〜３４ｃに流入する。室外機低圧ガス管３４ａ〜３４ｃに流入した冷媒は、アキュムレータ２５ａ〜２５ｃを介して冷媒配管３９ａ〜３９ｃを流れて圧縮機２１ａ〜２１ｃに吸入されて再び圧縮される。
【００６４】
一方、室内機８ａ〜８ｃから流出し液管３２を流れて室内機８ｄ，８ｅに流入した中間圧の冷媒は、室内膨張弁８２ｄ、８２ｅで減圧されて低圧の冷媒となり室内熱交換器８１ｄ、８１ｅに流入する。室内熱交換器８１ｄ、８１ｅに流入した冷媒は、室内空気と熱交換を行って蒸発する。これにより、室内機８ｄ、８ｅが設置された室内の冷房が行われる。尚、室内機８ｄ、８ｅの制御部は、液側温度センサ８４ｄ、８４ｅで検出した冷媒温度およびガス側温度センサ８５ｄ、８５ｅで検出した冷媒温度から、蒸発器である室内熱交換器８１ｄ、８１ｅでの冷媒過熱度を求め、これに応じて室内膨張弁８２ｄ、８２ｅの開度を決定している。
【００６５】
室内熱交換器８１ｄ、８１ｅから流出した冷媒は、分流ユニット６ｄ，６ｅに流入し、開となっている第２電磁弁６２ｄ，６２ｅが備えられた第２分流管６４ｄ，６４ｅを流れて低圧ガス管３１に流入する。低圧ガス管３１に流入した冷媒は分岐器７１に流入し、分岐器７１から低圧ガス分管３１ａ〜３１ｃに分流する。低圧ガス分管３１ａ〜３１ｃを流れて室外機２ａ〜２ｃに流入した冷媒は、室外機低圧ガス管３４ａ〜３４ｃからアキュムレータ２５ａ〜２５ｃを介して冷媒配管３９ａ〜３９ｃを流れて圧縮機２１に吸入されて再び圧縮される。
【００６６】
次に、図１乃至図７を用いて、本実施例の空気調和装置１で実行される、圧縮機２１ａ〜２１ｃの吐出温度が上限値を超えないように行う吐出温度保護制御について、その原理や動作、効果について説明する。
【００６７】
制御部１１０ａ〜１１０ｃの記憶部１２０ａ〜１２０ｃには、図３に示す駆動制御項目テーブル２００と、図４に示す冷房時吐出温度保護制御テーブル３００と、図５に示す暖房時吐出温度保護制御テーブル４００とが、予め記憶されている。
【００６８】
駆動制御項目テーブル２００は、吐出温度保護制御を実行する際の具体的な制御（以下、駆動制御と記載する）の項目と、冷凍サイクルの状態毎の各駆動制御項目の実行／不実行を規定したものである。駆動制御は、液インジェクション制御、冷房機室内膨張弁制御、暖房機室内膨張弁制御、室外機膨張弁制御、圧縮機回転数制御、の５つの制御からなる。また、冷凍サイクルの状態は、室外熱交換器２３ａ〜２３ｃが、図１に示すように凝縮器として機能している場合を「冷房時」、室外熱交換器２３ａ〜２３ｃが、図２に示すように蒸発器として機能している場合を「暖房時」としている。
【００６９】
液インジェクション制御は、冷凍サイクルが「冷房時」／「暖房時」のいずれの状態であっても行うものである。この液インジェクション制御は、室外機２ａ〜２ｃの補助膨張弁２７ａ〜２７ｃの開度を所定の速度で徐々に大きくする制御である。補助膨張弁２７ａ〜２７ｃの開度を大きくすることによって、補助膨張弁２７ａ〜２７ｃを通過しバイパス管３８ａ〜３８ｃを流れて補助熱交換器２４ａ〜２４ｃに流入した冷媒を蒸発しきらなくなるようにする。これにより、乾き度の低い（湿り蒸気の状態の）冷媒が補助熱交換器２４ａ〜２４ｃから流出し、バイパス管３８ａ〜３８ｃおよび室外機低圧ガス管３４ａ〜３４ｃを流れて圧縮機２１ａ〜２１ｃに吸入されるので、圧縮機２１ａ〜２１ｃの吐出温度が低下する。尚、補助膨張弁２７ａ〜２７ｃとバイパス管３８ａ〜３８ｃと補助熱交換器２４ａ〜２４ｃとで、本発明の冷媒乾き度調整手段が構成される。
【００７０】
冷房機室内膨張弁制御は、冷凍サイクルが「冷房時」である状態、および、冷凍サイクルが「暖房時」である状態で冷房運転を行っている室内機が存在する場合（暖房主体運転時）に行うものである。この冷房機室内膨張弁制御は、冷房運転を行っている室内機、例えば、図１に示す室内機８ａ〜８ｃの室内膨張弁８２ａ〜８２ｃの開度を大きくする制御であり、室内機８ａ〜８ｃが通常の冷房運転を行っている際の室内熱交換器８２ａ〜８２ｃにおける目標過熱度より所定値（例えば、５℃）低い過熱度となるように、室内膨張弁８２ａ〜８２ｃの開度を大きくする。室内膨張弁８２ａ〜８２ｃの開度を大きくすることによって、室内機８ａ〜８ｃから低圧ガス管３１に乾き度の低い冷媒が流出し、分岐器７１、低圧ガス分管３１ａ〜３１ｃを介して室外機低圧ガス管３４ａ〜３４ｃを流れ圧縮機２１ａ〜２１ｃに吸入される。これにより、圧縮機２１ａ〜２１ｃの吐出温度が低下する。尚、冷房機室内膨張弁制御は、冷凍サイクルが「暖房時」であって、全ての室内機８ａ〜８ｅが暖房運転を行っているときは、冷房室内機が存在しないため実行しない。
【００７１】
暖房機室内膨張弁制御は、冷凍サイクルの状態が「暖房時」に行うものである。この暖房機室内膨張弁制御は、暖房運転を行っている室内機、例えば、図２に示す室内機８ａ〜８ｃの室内膨張弁８２ａ〜８２ｃの開度を大きくする制御であり、室内機８ａ〜８ｃが通常の暖房運転を行っている際の室内熱交換器８１ａ〜８１ｃにおける目標過冷却度より所定値（例えば、５℃）高い過冷却度となるように、室内膨張弁８２ａ〜８２ｃの開度を大きくする。室内膨張弁８２ａ〜８２ｃの開度を大きくすることによって、液管３２を流れる冷媒の圧力を上昇させることができ、液管３２を流れる冷媒の圧力と低圧ガス管３１を流れる冷媒の圧力との圧力差を確保できる。
【００７２】
室外膨張弁制御は、冷凍サイクルの状態が「暖房時」に行うものである。この室外膨張弁制御は、室外機２ａ〜２ｃの室外膨張弁２６ａ〜２６ｃの開度を所定の速度で徐々に大きくする制御である。室外膨張弁２６ａ〜２６ｃの開度を大きくすることによって、室外膨張弁２６ａ〜２６ｃを通過する冷媒量が増加し、室外熱交換器２３ａ〜２３ｃや四方弁２２ａ〜２２ｃを介して圧縮機２１ａ〜２１ｃに乾き度の低い冷媒が吸入される。これにより、圧縮機２１ａ〜２１ｃの吐出温度が低下する。
【００７３】
圧縮機回転数制御は、冷凍サイクルが「冷房時」／「暖房時」のいずれの状態であっても行うものである。この圧縮機回転数制御は、室外機２ａ〜２ｃに備えられた図示しないインバータ回路により、圧縮機２１ａ〜２１ｃの回転数を所定の割合で下げるものであり、例えば、圧縮機２１ａ〜２１ｃに備えられた図示しないモータに供給する駆動パルスの周波数を、３０秒毎に６Ｈｚ低下させることによって制御する。これにより、圧縮機２１ａ〜２１ｃの吐出温度が低下する。尚、圧縮機２１ａ〜２１ｃの回転数が、圧縮機２１ａ〜２１ｃの使用範囲（圧縮機２１ａ〜２１ｃを支障なく運転できる回転数範囲）の下限値、例えば、２０Ｈｚまで低下すれば圧縮機回転数制御を停止し、下限値である回転数に維持して圧縮機２１ａ〜２１ｃの運転を継続する。
【００７４】
尚、以上説明した各駆動制御のうち、液インジェクション制御と室外機膨張弁制御と圧縮機回転数制御とは、室外機２ａ〜２ｃの制御部１００ａ〜１１０ｃが実行する。また、冷房機室内膨張弁制御および暖房機室内膨張弁制御は、室外機２ａ〜２ｃの制御部１００ａ〜１１０ｃからの指示により各室内機８ａ〜８ｅの制御部が実行する。
【００７５】
以上説明した各駆動制御を、圧縮機２１ａ〜２１ｃの吐出温度を予め所定の温度幅で定めた吐出温度領域に対応させたのが、図４に示す冷房時吐出温度保護制御テーブル３００と、図５に示す暖房時吐出温度保護制御テーブル４００である。次に、各保護制御テーブルの説明と、各保護制御テーブルを用いて吐出温度保護制御を行う際の具体的な動作について説明する。まずは、冷房時吐出温度保護制御テーブル３００について説明し、冷房時の吐出温度保護制御を行う際の具体的な動作について説明する。
【００７６】
冷房時吐出温度保護制御テーブル３００は、冷凍サイクルの状態が「冷房時」であるときの吐出温度保護制御を実行する際の制御態様を示している。図４に示すように、冷房時吐出温度保護制御テーブル３００では、駆動制御のハンチング防止のために、圧縮機２１ａ〜２１ｃの吐出温度が上昇しているときと下降しているときで吐出温度領域を異ならせている。
【００７７】
具体的には、吐出温度上昇時については、吐出温度が保護制御開始温度である９５℃以上１００℃未満の吐出温度領域には液インジェクション制御、１００℃以上１０５℃未満の吐出温度領域には冷房機室内膨張弁制御が各々定められている。また、１０５℃以上の吐出温度領域には圧縮機回転数制御が定められている。
【００７８】
吐出温度下降時については、吐出温度が保護制御終了温度である９０℃以上９５℃未満の吐出温度領域には液インジェクション制御、９５℃以上１００℃未満の吐出温度領域には冷房機室内膨張弁制御が各々定められている。また、１００℃以上の吐出温度領域には圧縮機回転数制御が定められている。
【００７９】
また、吐出温度が、吐出温度上昇時では９５℃未満、吐出温度下降時では９０℃未満である場合は、吐出温度保護制御は行わず、通常の空調運転に関する制御（以下、通常制御と記載）を行う。また、吐出温度が、吐出温度上昇時／吐出温度下降時いずれにも関わらず停止温度である１１５℃以上である場合は、運転している圧縮機を停止する圧縮機停止制御を行う。尚、停止温度は予め定められている温度であり、圧縮機の吐出温度の上限値（例えば、本実施例では１２０℃）から所定温度（本実施例では５℃）低い温度とされている。
【００８０】
次に、空気調和装置１が冷凍サイクルの状態を「冷房時」として、つまり、室外熱交換器２３ａ〜２３ｃが凝縮器として機能している状態で空調運転を行っているときに、室外機２ａ〜２ｃが冷房時吐出温度保護制御テーブル３００を参照して各々の圧縮機２１ａ〜２１ｃの吐出温度保護制御を行う場合の具体的な動作について、図６に示すフローチャートを参照しながら説明する。
【００８１】
図６に示すフローチャートは、空気調和装置１が冷凍サイクルの状態を「冷房時」として空調運転を行っているときに、室外機２ａ〜２ｃのＣＰＵ１１０ａ〜１１０ｃが実行する吐出温度保護制御に関する処理の流れを示すものであり、ＳＴはステップを表しこれに続く数字はステップ番号を表している。尚、図６では本発明に関わる処理を中心に説明しており、例えば、使用者の指示した設定温度や風量等の運転条件に対応した冷媒回路の制御といった、空調運転に関わる一般的な処理の流れについては説明を省略する。
【００８２】
空気調和装置１が冷凍サイクルの状態を「冷房時」として空調運転を行っているとき、例えば、図１に示す冷媒回路の状態で冷房主体運転を行っているとき、ＣＰＵ１１０ａ〜１１０ｃは、吐出温度センサ５３ａ〜５３ｃが検出した圧縮機２１ａ〜２１ｃの吐出温度を取り込む（ＳＴ１）。ＣＰＵ１１０ａ〜１１０ｃは、圧縮機２１ａ〜２１ｃの吐出温度を定期的（例えば１秒毎）に取り込んで記憶部１２０ａ〜１２０ｃに記憶している。
【００８３】
次に、ＣＰＵ１１０ａ〜１１０ｃは、冷房時吐出温度保護制御テーブル３００を参照し、取り込んだ現在の吐出温度に応じた制御を実行する。ＣＰＵ１１０ａ〜１１０ｃは、取り込んだ吐出温度が保護制御開始温度である９５℃以上であるか否かを判断し（ＳＴ２）、取り込んだ吐出温度が９５℃未満であれば（ＳＴ２−Ｎｏ）、室外機２ａ〜２ｃの通常制御を行う（ＳＴ１３）。そして、ＣＰＵ１１０ａ〜１１０ｃは、ＳＴ１に処理を戻す。取り込んだ吐出温度が９５℃以上であれば、ＣＰＵ１１０ａ〜１１０ｃは、通常制御を実行しながら液インジェクション制御を実行する（ＳＴ３）。
【００８４】
次に、ＣＰＵ１１０ａ〜１１０ｃは、通常制御と液インジェクション制御とを実行しているときの吐出温度が９０℃未満となったか否かを判断する（ＳＴ４）。通常制御と液インジェクション制御とを実行したことにより吐出温度が下降に転じ、吐出温度が９０℃未満となれば（ＳＴ４−Ｙｅｓ）、ＣＰＵ１１０ａ〜１１０ｃは、液インジェクション制御を停止して（ＳＴ１４）通常制御のみを実行する状態とし、ＳＴ１に処理を戻す。尚、液インジェクション制御では、前述したように補助膨張弁２７ａ〜２７ｃの開度を徐々に大きくするが、吐出温度が９０℃未満とならない限りは、補助膨張弁２７ａ〜２７ｃが最大開度となるまで開度を大きくする。
【００８５】
吐出温度が９０℃未満となっていなければ（ＳＴ４−Ｎｏ）、ＣＰＵ１１０ａ〜１１０ｃは、通常制御と液インジェクション制御とを実行しているときの吐出温度が１００℃以上となったか否かを判断する（ＳＴ５）。吐出温度が１００℃以上となっていなければ（ＳＴ５−Ｎｏ）、ＣＰＵ１１０ａ〜１１０ｃは、ＳＴ１に処理を戻す。
【００８６】
通常制御と液インジェクション制御を実行しているにも関わらず吐出温度が上昇を続け、吐出温度が１００℃以上となった場合は（ＳＴ５−Ｙｅｓ）、ＣＰＵ１１０ａ〜１１０ｃは通常制御、液インジェクション制御に加えて冷房機室内膨張弁制御を実行する（ＳＴ６）。具体的には、ＣＰＵ１１０ａ〜１１０ｃは、通信部１３０ａ〜１３０ｃを介して、冷房運転を行っている室内機８ａ〜８ｃに対し室内膨張弁８２ａ〜８２ｃの開度制御を行うよう指示する。
【００８７】
前述したように、液インジェクション制御は補助膨張弁２７ａ〜２７ｃの開度を所定の速度で徐々に大きくする制御であり、冷房機室内膨張弁制御は冷房運転を行っている室内機の室内膨張弁の開度を大きくする制御である。液インジェクション制御や冷房機室内膨張弁制御を実行すれば、液管３２を流れる冷媒の圧力と低圧ガス管３１を流れる冷媒の圧力との圧力差が小さくなって冷房運転を行っている室内機８ａ〜８ｃの運転能力が低下する虞があるが、液管３２を流れる冷媒の圧力と低圧ガス管３１を流れる冷媒の圧力との圧力差は確保できるように室外膨張弁２６ａ〜２６ｃの開度を制御することによって、冷房運転を行っている室内機８ａ〜８ｃの運転能力に与える影響を抑えることができる。
【００８８】
このように、液インジェクション制御や冷房機室内膨張弁制御を行っても、運転能力に与える影響を抑えつつ圧縮機２１ａ〜２１ｃの吐出温度を下げることができるので、図４に示すように、圧縮機回転数制御を実行する吐出温度領域（１０５℃以上１１５℃未満）より低い吐出温度領域で、液インジェクション制御や冷房機室内膨張弁制御を実行している。尚、液インジェクション制御を冷房機室内膨張弁制御より先に実行するのは、液インジェクション制御では冷媒がバイパス管３８ａ〜３８ｃから室外機低圧ガス管３４ａ〜３４ｃに流れるので、冷房機室内膨張弁制御を行う場合のように、冷媒が各冷房室内機を回流して室外機低圧ガス管３４ａ〜３４ｃに流入する場合と比べて、より早く圧縮機２１ａ〜２１ｃに乾き度の低い冷媒を吸入させることができ、吐出温度を低下させることに関して即効性が期待できるためである。
【００８９】
次に、ＣＰＵ１１０ａ〜１１０ｃは、通常制御と液インジェクション制御と冷房機室内膨張弁制御とを実行しているときの吐出温度が９５℃未満となったか否かを判断する（ＳＴ７）。通常制御と液インジェクション制御と冷房機室内膨張弁制御とを実行したことにより吐出温度が下降に転じ、吐出温度が９５℃未満となれば（ＳＴ７−Ｙｅｓ）、ＣＰＵ１１０ａ〜１１０ｃは、冷房機室内膨張弁制御を停止して（ＳＴ１５）ＳＴ３に処理を戻し（図６における結合子Ｐ）、通常制御と液インジェクション制御とを継続する。
【００９０】
吐出温度が９５℃未満となっていなければ（ＳＴ７−Ｎｏ）、ＣＰＵ１１０ａ〜１１０ｃは、通常制御と液インジェクション制御と冷房機室内膨張弁制御とを実行しているときの吐出温度が１０５℃以上となったか否かを判断する（ＳＴ８）。吐出温度が１０５℃以上となっていなければ（ＳＴ８−Ｎｏ）、ＣＰＵ１１０ａ〜１１０ｃは、ＳＴ１に処理を戻す。
【００９１】
通常制御と液インジェクション制御と冷房機室内膨張弁制御とを実行したにも関わらず吐出温度が上昇を続け、吐出温度が１０５℃以上となった場合は（ＳＴ８−Ｙｅｓ）、ＣＰＵ１１０ａ〜１１０ｃは、通常制御と液インジェクション制御と冷房機室内膨張弁制御とに加えて圧縮機回転数制御を実行する（ＳＴ９）。
【００９２】
次に、ＣＰＵ１１０ａ〜１１０ｃは、通常制御、液インジェクション制御、冷房機室内膨張弁制御および圧縮機回転数制御を実行しているときの吐出温度が１００℃未満となったか否かを判断する（ＳＴ１０）。通常制御、液インジェクション制御、冷房機室内膨張弁制御および圧縮機回転数制御を実行したことにより吐出温度が下降に転じ、吐出温度が１００℃未満となれば（ＳＴ１０−Ｙｅｓ）、ＣＰＵ１１０ａ〜１１０ｃは、圧縮機回転数制御を停止して（ＳＴ１６）ＳＴ６に処理を戻し（図６における結合子Ｑ）、通常制御と冷房機室内膨張弁制御と液インジェクション制御とを継続する。
【００９３】
吐出温度が１００℃未満となっていなければ（ＳＴ１０−Ｎｏ）、ＣＰＵ１１０ａ〜１１０ｃは、通常制御、液インジェクション制御、冷房機室内膨張弁制御および圧縮機回転数制御とを実行しているときの吐出温度が１１５℃以上なったか否かを判断する（ＳＴ１１）。吐出温度が１１５℃以上なっていなければ（ＳＴ１１−Ｎｏ）、ＣＰＵ１１０ａ〜１１０ｃは、ＳＴ１に処理を戻す。
【００９４】
通常制御、液インジェクション制御、冷房機室内膨張弁制御および圧縮機回転数制御を実行しているにも関わらず吐出温度が上昇を続け、吐出温度が１１５℃以上となった場合は（ＳＴ１１−Ｙｅｓ）、ＣＰＵ１１０ａ〜１１０ｃは、圧縮機２１ａ〜２１ｃを停止する圧縮機停止制御を行う（ＳＴ１２）。そして、ＣＰＵ１１０ａ〜１１０ｃは、吐出温度保護制御を終了する。
【００９５】
次に、暖房時吐出温度保護制御テーブル４００について説明し、暖房時の吐出温度保護制御を行う際の具体的な動作について説明する。
【００９６】
暖房時吐出温度保護制御テーブル４００は、冷凍サイクルの状態が「暖房時」であるときの吐出温度保護制御を実行する際の制御態様を示している。図５に示すように、暖房時吐出温度保護制御テーブル４００についても、冷房時吐出温度保護制御テーブル３００と同様、駆動制御のハンチング防止のために、圧縮機２１ａ〜２１ｃの吐出温度が上昇しているときと下降しているときで吐出温度領域を異ならせている。尚、冷凍サイクルの状態が「暖房時」は、「冷房時」であるときと比べて吐出温度が上昇し易いため、保護制御開始温度を、冷房時吐出温度保護制御テーブル３００における保護制御開始温度である９５℃より低い９０℃と設定することで、より低い吐出温度から吐出温度保護制御を実施して吐出温度の上昇を効果的に抑制する。
【００９７】
具体的には、吐出温度上昇時については、吐出温度が保護制御開始温度である９０℃以上９５℃未満の吐出温度領域には暖房機室内膨張弁制御、９５℃以上１００℃未満の吐出温度領域には冷房機室内膨張弁制御、１００℃以上１０２℃未満の吐出温度領域には室外膨張弁制御、１０２℃以上１０５℃未満の吐出温度領域には液インジェクション制御が各々定められている。また、１０５℃以上の吐出温度領域には圧縮機回転数制御が定められている。
【００９８】
吐出温度下降時については、吐出温度が保護制御終了温度である８５℃以上９０℃未満の吐出温度領域には暖房機室内膨張弁制御、９０℃以上９５℃未満の吐出温度領域には冷房機室内膨張弁制御、９５℃以上９７℃未満の吐出温度領域には室外膨張弁制御、９７℃以上１００℃未満の吐出温度領域には液インジェクション制御が各々定められている。また、１００℃以上の吐出温度領域には圧縮機回転数制御が定められている。
【００９９】
また、吐出温度が、吐出温度上昇時では９０℃未満、吐出温度下降時では８５℃未満である場合は、吐出温度保護制御は行わず、通常の空調運転に関する制御（通常制御）を行う。また、吐出温度が、吐出温度上昇時／吐出温度下降時いずれにも関わらず停止温度である１１５℃以上である場合は、冷房時吐出温度保護制御テーブル３００と同様に、運転している圧縮機を停止する圧縮機停止制御を行う。
【０１００】
次に、空気調和装置１が冷凍サイクルの状態を「暖房時」として、つまり、室外熱交換器２３ａ〜２３ｃが蒸発器として機能している状態で空調運転を行っているときに、室外機２ａ〜２ｃが暖房時吐出温度保護制御テーブル４００を参照して各々の圧縮機２１ａ〜２１ｃの吐出温度保護制御を行う場合の具体的な動作について、図７に示すフローチャートを参照しながら説明する。
【０１０１】
図７に示すフローチャートは、空気調和装置１が冷凍サイクルの状態を「暖房時」として空調運転を行っているときに、室外機２ａ〜２ｃのＣＰＵ１１０ａ〜１１０ｃが実行する吐出温度保護制御に関する処理の流れを示すものであり、ＳＴはステップを表しこれに続く数字はステップ番号を表している。尚、図６を用いて説明した場合と同様に、図７では本発明に関わる処理を中心に説明しており、空調運転に関わる一般的な処理の流れについては説明を省略する。
【０１０２】
空気調和装置１が冷凍サイクルを「暖房時」として空調運転を行っているとき、例えば、図２に示す冷媒回路の状態で暖房主体運転を行っているとき、ＣＰＵ１１０ａ〜１１０ｃは、吐出温度センサ５３ａ〜５３ｃが検出した圧縮機２１ａ〜２１ｃの吐出温度を取り込む（ＳＴ２１）。前述した冷房主体運転時と同様に、ＣＰＵ１１０ａ〜１１０ｃは、圧縮機２１ａ〜２１ｃの吐出温度を定期的に取り込んで記憶部１２０ａ〜１２０ｃに記憶している。
【０１０３】
次に、ＣＰＵ１１０ａ〜１１０ｃは、暖房時吐出温度保護制御テーブル４００を参照し、取り込んだ現在の吐出温度に応じた制御を実行する。ＣＰＵ１１０ａ〜１１０ｃは、取り込んだ吐出温度が保護制御開始温度である９０℃以上であるか否かを判断し（ＳＴ２２）、取り込んだ吐出温度が９０℃未満であれば（ＳＴ２２−Ｎｏ）、室外機２ａ〜２ｃの通常制御を行う（ＳＴ３９）。そして、ＣＰＵ１１０ａ〜１１０ｃは、ＳＴ２１に処理を戻す。取り込んだ吐出温度が９０℃以上であれば（ＳＴ２２−Ｙｅｓ）、ＣＰＵ１１０ａ〜１１０ｃは、通常制御を実行しながら暖房機室内膨張弁制御を実行する（ＳＴ２３）。具体的には、ＣＰＵ１１０ａ〜１１０ｃは、通信部１３０ａ〜１３０ｃを介して、暖房運転を行っている室内機８ａ〜８ｃに対し室内膨張弁８２ａ〜８２ｃの開度制御を行うよう指示する。
【０１０４】
次に、ＣＰＵ１１０ａ〜１１０ｃは、通常制御と暖房機室内膨張弁制御とを実行しているときの吐出温度が８５℃未満となったか否かを判断する（ＳＴ２４）。通常制御と暖房機室内膨張弁制御とを実行したことにより吐出温度が下降に転じ、吐出温度が８５℃未満となれば（ＳＴ２４−Ｙｅｓ）、ＣＰＵ１１０ａ〜１１０ｃは、暖房機室内膨張弁制御を停止して（ＳＴ４０）通常制御のみを実行する状態とし、ＳＴ２1に処理を戻す。
【０１０５】
吐出温度が８５℃未満となっていなければ（ＳＴ２４−Ｎｏ）、ＣＰＵ１１０ａ〜１１０ｃは、通常制御と暖房機室内膨張弁制御を実行しているときの吐出温度が９５℃以上となったか否かを判断する（ＳＴ２５）。吐出温度が９５℃以上となっていなければ（ＳＴ２５−Ｎｏ）、ＣＰＵ１１０ａ〜１１０ｃは、ＳＴ２１に処理を戻す。
【０１０６】
通常制御と暖房機室内膨張弁制御を実行しているにも関わらず吐出温度が上昇を続け、吐出温度が９５℃以上となった場合は（ＳＴ２５−Ｙｅｓ）、ＣＰＵ１１０ａ〜１１０ｃは、通常制御、暖房機室内膨張弁制御に加えて冷房機室内膨張弁制御を実行する（ＳＴ２６）。具体的には、ＣＰＵ１１０ａ〜１１０ｃは、通信部１３０ａ〜１３０ｃを介して、冷房運転を行っている室内機８ｄ、８ｅに対し室内膨張弁８２ｄ、８２ｅの開度制御を行うよう指示する。
【０１０７】
次に、ＣＰＵ１１０ａ〜１１０ｃは、通常制御と暖房機室内膨張弁制御と冷房機室内膨張弁制御とを実行しているときの吐出温度が９０℃未満となったか否かを判断する（ＳＴ２７）。通常制御と暖房機室内膨張弁制御と冷房機室内膨張弁制御とを実行したことにより吐出温度が下降に転じ、吐出温度が９０℃未満となれば（ＳＴ２７―Ｙｅｓ）、ＣＰＵ１１０ａ〜１１０ｃは、冷房機室内膨張弁制御を停止して（ＳＴ４１）ＳＴ２３に処理を戻し（図７における結合子Ｒ）、通常制御と暖房機室内膨張弁制御とを継続する。
【０１０８】
吐出温度が９０℃未満となっていなければ（ＳＴ２７―Ｎｏ）、ＣＰＵ１１０ａ〜１１０ｃは、通常制御と暖房機室内膨張弁制御と冷房機室内膨張弁制御とを実行しているときの吐出温度が１００℃以上となったか否かを判断する（ＳＴ２８）。吐出温度が１００℃以上となっていなければ（ＳＴ２８―Ｎｏ）、ＣＰＵ１１０ａ〜１１０ｃは、ＳＴ２１に処理を戻す。
【０１０９】
通常制御と暖房機室内膨張弁制御と冷房機室内膨張弁制御とを実行しているにも関わらず吐出温度が上昇を続け、吐出温度が１００℃以上となった場合は（ＳＴ２８−Ｙｅｓ）、ＣＰＵ１１０ａ〜１１０ｃは、通常制御、暖房機室内膨張弁制御、冷房機室内膨張弁制御に加えて室外膨張弁制御を実行する（ＳＴ２９）。
【０１１０】
前述したように、暖房機室内膨張弁制御は暖房運転を行っている室内機の室内膨張弁（図２においては、室内膨張弁８２ａ〜８２ｃ）の開度を大きくする制御であり、冷房機室内膨張弁制御は冷房運転を行っている室内機の室内膨張弁（図２においては、室内膨張弁８２ｄ、８２ｅ）の開度を大きくする制御であり、室外膨張弁制御は室外機２ａ〜２ｃの室外膨張弁２６ａ〜２６ｃの開度を所定の割合で大きくするものである。
【０１１１】
図５の暖房時吐出温度保護制御テーブル４００に示すように、暖房機室内膨張弁制御は一番低い吐出温度領域で実行している。冷房機室内膨張弁制御や室外膨張弁制御を実行すれば、液管３２を流れる冷媒の圧力と低圧ガス管３１を流れる冷媒の圧力との圧力差が小さくなって、冷房運転を行っている室内機８ｄ，８ｅの運転能力が低下する虞がある。従って、冷房機室内膨張弁制御や室外膨張弁制御を実行しても液管３２を流れる冷媒の圧力と低圧ガス管３１を流れる冷媒の圧力との圧力差を確保できるよう、冷房機室内膨張弁制御や室外膨張弁制御より先に暖房機室内膨張弁制御を実施して液管３２を流れる冷媒の圧力を上昇させておくことで、冷房運転を行っている室内機８ｄ，８ｅの運転能力に与える影響をできる限り低減できる。
【０１１２】
また、室外膨張弁制御を実行すれば、暖房運転を行っている室内機８ａ〜８ｃから液管３２に流れる冷媒量が多くなって冷房運転を行っている室内機８ｄ、８ｅに流入する冷媒量が減少し、室内機８ｄ，８ｅの運転能力が低下する虞があるため、室外膨張弁制御を実行する吐出温度領域より低い吐出温度領域で冷房機室内膨張弁制御を先に行うようにして、冷房運転を行っている室内機８ｄ，８ｅの運転能力に与える影響をできる限り低減するようにしている。尚、室内機８ａ〜８ｅが全て暖房運転を行っている場合は、冷房機膨張弁制御は実行できないので、吐出温度が室外膨張弁制御を実行する吐出温度領域に入るまでは、暖房機室内膨張弁制御のみを実行する。
【０１１３】
次に、ＣＰＵ１１０ａ〜１１０ｃは、通常制御、暖房機室内膨張弁制御、冷房機室内膨張弁制御および室外膨張弁制御を実行しているときの吐出温度が９５℃未満となったか否かを判断する（ＳＴ３０）。通常制御、暖房機室内膨張弁制御、冷房機室内膨張弁制御および室外膨張弁制御を実行したことにより吐出温度が下降に転じ、吐出温度が９５℃未満となれば（ＳＴ３０−Ｙｅｓ）、ＣＰＵ１１０ａ〜１１０ｃは、室外膨張弁制御を停止して（ＳＴ４２）ＳＴ２６に処理を戻し（図７における結合子Ｓ）、通常制御と暖房機室内膨張弁制御と冷房機室内膨張弁制御とを継続する。尚、室外膨張弁制御では、前述したように室外膨張弁２６ａ〜２６ｃの開度を徐々に大きくするが、吐出温度が９５℃未満とならない限りは、室外膨張弁２６ａ〜２６ｃが最大開度となるまで開度を大きくする。
【０１１４】
吐出温度が９５℃未満となっていなければ（ＳＴ３０−Ｎｏ）、ＣＰＵ１１０ａ〜１１０ｃは、通常制御、暖房機室内膨張弁制御、冷房機室内膨張弁制御および室外膨張弁制御を実行しているときの吐出温度が１０２℃以上となったか否かを判断する（ＳＴ３１）。吐出温度が１０２℃以上となっていなければ（ＳＴ３１―Ｎｏ）、ＣＰＵ１１０ａ〜１１０ｃは、ＳＴ２１に処理を戻す。
【０１１５】
通常制御、暖房機室内膨張弁制御、冷房機室内膨張弁制御および室外膨張弁制御を実行しているにも関わらず吐出温度が上昇を続け、吐出温度が１０２℃以上となった場合は（ＳＴ３１−Ｙｅｓ）、ＣＰＵ１１０ａ〜１１０ｃは通常制御、暖房機室内膨張弁制御、冷房機室内膨張弁制御、室外膨張弁制御に加えて液インジェクション制御を実行する（ＳＴ３２）。
【０１１６】
液インジェクション制御を実行すれば、液冷媒がバイパス管３８ａ〜３８ｃから室外機低圧ガス管３４ａ〜３４ｃを流れて圧縮機２１ａ〜２１ｃに吸入される、所謂液バックが発生する可能性が高くなるため、液インジェクション制御を実行する吐出温度領域より低い吐出温度領域で室外膨張弁制御を先に行うようにしている。尚、この液インジェクション制御は、図４および図５に示すように、冷房時の吐出温度保護制御を行う場合と暖房時の吐出温度保護制御を行う場合とで実行する吐出温度領域が異なり、冷房時では他の駆動制御より先に液インジェクション制御を行っている。これは、前述したように、冷房時の冷媒回路において液インジェクション制御を行えば、吐出温度を低下させることに関して即効性が期待できるためである。
【０１１７】
次に、ＣＰＵ１１０ａ〜１１０ｃは、液インジェクション制御までの全ての駆動制御を実行しているときの吐出温度が９７℃未満となったか否かを判断する（ＳＴ３３）。吐出温度が９７℃未満となれば（ＳＴ３３−Ｙｅｓ）、ＣＰＵ１１０ａ〜１１０ｃは、液インジェクション制御を停止して（ＳＴ４３）ＳＴ２９に処理を戻し（図７における結合子Ｔ）、通常制御、暖房機室内膨張弁制御、冷房機室内膨張弁制御および室外膨張弁制御を継続する。尚、液インジェクション制御では、前述したように補助膨張弁２７ａ〜２７ｃの開度を徐々に大きくするが、吐出温度が９７℃未満とならない限りは、補助膨張弁２７ａ〜２７ｃが最大開度となるまで開度を大きくする。
【０１１８】
吐出温度が９７℃未満となっていなければ（ＳＴ３３−Ｎｏ）、ＣＰＵ１１０ａ〜１１０ｃは、液インジェクション制御までの全ての駆動制御を実行しているときの吐出温度が１０５℃以上となったか否かを判断する（ＳＴ３４）。吐出温度が１０５℃以上となっていなければ（ＳＴ３４−Ｎｏ）、ＣＰＵ１１０ａ〜１１０ｃは、ＳＴ２１に処理を戻す。
【０１１９】
液インジェクション制御までの全ての駆動制御を実行しているにも関わらず吐出温度が上昇を続け、吐出温度が１０５℃以上となった場合は（ＳＴ３４−Ｙｅｓ）、ＣＰＵ１１０ａ〜１１０ｃは、液インジェクション制御までの全ての駆動制御に加えて圧縮機回転数制御を実行する（ＳＴ３５）。
【０１２０】
次に、ＣＰＵ１１０ａ〜１１０ｃは、圧縮機回転数制御までの全ての駆動制御を実行しているときの吐出温度が１００℃未満となったか否かを判断する（ＳＴ３６）。圧縮機回転数制御までの全ての駆動制御を実行したことにより吐出温度が下降に転じ、吐出温度が１００℃未満となれば（ＳＴ３６−Ｙｅｓ）、ＣＰＵ１１０ａ〜１１０ｃは、圧縮機回転数制御を停止して（ＳＴ４４）ＳＴ３２に処理を戻し（図７における結合子Ｕ）、液インジェクション制御までの全ての駆動制御を継続する。
【０１２１】
吐出温度が１００℃未満となっていなければ（ＳＴ３６−Ｎｏ）、ＣＰＵ１１０ａ〜１１０ｃは、圧縮機回転数制御までの全ての駆動制御を実行しているときの吐出温度が１１５℃以上となったか否かを判断する（ＳＴ３７）。吐出温度が１１５℃以上なっていなければ（ＳＴ３７−Ｎｏ）、ＣＰＵ１１０ａ〜１１０ｃは、ＳＴ２１に処理を戻す。
【０１２２】
圧縮機回転数制御までの全ての駆動制御を実行しているにも関わらず吐出温度が上昇を続け、吐出温度が１１５℃以上となった場合は（ＳＴ３７−Ｙｅｓ）、ＣＰＵ１１０ａ〜１１０ｃは、圧縮機２１ａ〜２１ｃを停止する圧縮機停止制御を行う（ＳＴ３８）。そして、ＣＰＵ１１０ａ〜１１０ｃは、吐出温度保護制御を終了する。
【０１２３】
以上説明したように、本発明の空気調和装置は、室外熱交換器を凝縮器として機能させる場合と室外熱交換器を蒸発器として機能させる場合とで、保護制御開始温度や吐出温度領域の領域数や吐出温度領域に対応する駆動制御を異ならせて吐出温度保護制御を実行する。これにより、室外熱交換器が担う機能に応じた最適な圧縮機の吐出温度保護を行うことができ、かつ、空気調和装置の冷凍サイクルの運転能力の低下をできる限り抑えることができる。
【符号の説明】
【０１２４】
１  空気調和装置
２ａ〜２ｃ  室外機
８ａ〜８ｅ  室内機
２１ａ〜２１ｃ  圧縮機
２２ａ〜２２ｃ  四方弁
２３ａ〜２３ｃ  室外熱交換器
２４ａ〜２４ｃ  補助熱交換器
２６ａ〜２６ｃ  室外膨張弁
２７ａ〜２７ｃ  補助膨張弁
３０  高圧ガス管
３０ａ〜３０ｃ  高圧ガス分管
３１  低圧ガス管
３１ａ〜３１ｃ  低圧ガス分管
３２  液管
３２ａ〜３２ｃ  液分管
３３ａ〜３３ｃ  室外機高圧ガス管
３４ａ〜３４ｃ  室外機低圧ガス管
３５ａ〜３５ｃ  室外機液管
３８ａ〜３８ｃ  バイパス管
５３ａ〜５３ｃ  吐出温度センサ
５４ａ〜５４ｃ  吸入温度センサ
５５ａ〜５５ｃ  冷媒温度センサ
５６ａ〜５６ｃ  熱交温度センサ
５７ａ〜５７ｃ  入口温度センサ
５８ａ〜５８ｃ  出口温度センサ
８１ａ〜８１ｅ  室内熱交換器
８２ａ〜８２ｅ  室内膨張弁
１００ａ〜１００ｃ  制御手段
１１０ａ〜１１０ｃ  ＣＰＵ
１２０ａ〜１２０ｃ  記憶部
１３０ａ〜１３０ｃ  通信部
２００  駆動制御項目テーブル
３００  冷房時吐出温度保護制御テーブル
４００  暖房時吐出温度保護制御テーブル
【図１】
0005906790.tif 000002
【図２】
0005906790.tif 000003
【図３】
0005906790.tif 000004
【図４】
0005906790.tif 000005
【図５】
0005906790.tif 000006
【図６】
0005906790.tif 000007
【図７】
0005906790.tif 000008